(57)【特許請求の範囲】
【請求項１】
複数の敷設部材を目地が形成されるように敷設した構築物において、
前記目地には水源から水が導かれる導水路が接続されるとともに、目地内には目地材が配置され、その目地材として立体網状体を用いており、
前記敷設部材が敷石パネルであって、その敷石パネルの上面には、目地側の縁部に位置する高い面と、中央部に位置する低い面とが形成されていることを特徴とする構築物。
【請求項２】
前記目地材は、合成樹脂よりなる紐状体を絡み合わせて構成されていることを特徴とする請求項１に記載の構築物。
【請求項３】
前記目地材は、立体網状体よりなる本体と、その本体より高剛性の補強材とにより構成されたことを特徴とする請求項１または２に記載の構築物。
【請求項４】
前記補強材が目地の角部と対応する位置に配置されていることを特徴とする請求項３に記載の構築物。
【請求項５】
高い面と低い面とが斜面を介して連続していることを特徴とする請求項１〜４のいずれか１項に記載の構築物。
【請求項６】
低い面と同じ高さの上面を有する敷石パネルを低い面と連続するように敷設したことを特徴とする請求項１〜５のいずれか１項に記載の構築物。
【発明の詳細な説明】
【技術分野】
【０００１】
本発明は、道路の舗装や建築物等の構造物に係り、詳しくは、舗道、広場あるいは建築物等の構造物の表面付近を冷却するための技術に関する。
【背景技術】
【０００２】
近年、夏季の都市部でのヒートアイランド現象による異常気温上昇が問題となっている。この異常気温上昇下において、舗道や広場等を歩く歩行者は、高気温に加えて、舗装面からの輻射熱を受けて不快となる。この輻射熱による不快感を抑えるために、舗装面の温度を低下させる技術の種々提案がなされている。
【０００３】
特許文献１では、保水性コンクリート盤体で舗装表面が形成され、その下方の導水層の水が保水性コンクリート盤体に浸透して、舗装表面を湿潤状態にすることにより、地表温度の上昇を抑制することができるようになっている。
【０００４】
特許文献２では、道路の路盤上に不透水舗装部が形成され、更に、その不透水舗装部上に位置する複層透水舗装部の下層側に高透水層部が形成されると共に、表層側に高透水層部より低透水層部が形成されている。この高透水層部に対して、道路に設けた加圧給水部の給水管から冷却水が直接加圧供給されて、表面側の高透水層部からの水の蒸発により、道路舗装部の冷却が行われるとされている。
【０００５】
特許文献３では、土路盤上のコンクリート舗装板の間に吸水性セメント硬化体が配置されている。この吸水性セメント硬化体は、微細ひび割れを有しているので、土路盤から微細ひび割れを通じて水を吸い上げることができる。この吸い上げられた水が蒸発することにより、舗装道路等の路面の温度低下が促進されるようになっている。
【０００６】
特許文献４では、基板上で隣接する化粧仕上げ体間の目地に、多数の粒体により形成された透水目地部が着脱自在に配置されている。この透水目地部は、透水路を形成する。そして、透水路を介して、水の大気中への蒸散が行われて、ヒートアイランド現象を防止することができるようになっている。
【先行技術文献】
【特許文献】
【０００７】
【特許文献１】特開２００４−３００８８１号公報
【特許文献２】特開２００４−３０８２９０号公報
【特許文献３】特開２００６−１１８１２８号公報
【特許文献４】実用新案登録第３１４７４４３号公報
【発明の概要】
【発明が解決しようとする課題】
【０００８】
上記各特許文献に記載では、路面の蒸発潜熱を利用して、路面が冷却される。
特許文献１では、ポーラスなコンクリート盤体を浸透する水の蒸発を利用しているため、冷却に供される水の量は多くない。このため、奪われる蒸発潜熱量は低く、従って舗装表面の冷却は、歩行者に涼感を感じさせるほどに十分とはなり難い。また、特許文献２では、低透水層部内を浸透状態で上昇した水が蒸発する構成であるため、特許文献１と同様に十分な冷却効果は得難い。同様に、特許文献３では、微細ひび割れを通じて水が吸い上げられるので、その温度低下効果は低い。特許文献４では、粒体間を浸透する水を利用するため、冷却作用に関して、他の特許文献の技術と同等である。
【０００９】
そして、前記各特許文献においては、孔やひび、あるいは粒体間の隙間に塵埃が詰まることにより、冷却能力が減じてしまうおそれを含んでいる。
冷却効果を高めるためには、溝状に開いた目地から舗装の表面側に大量の水を供給することが考えられる。しかし、このように構成した場合には、開いた目地にハイヒールの踵が入り込んで歩き難くなるばかりでなく、目地に塵埃、小石、落ち葉等が詰まって、その除去が困難になるおそれもあった。
【００１０】
本発明は、このような問題に着目してなされたものであり、その目的とするところは、舗道、広場あるいは建築物等の構造物の表面付近を効果的に冷却することができるとともに、保守管理が容易な構築物を提供することにある。
【課題を解決するための手段】
【００１１】
上記問題を解決するために本発明は、複数の敷設部材を目地が形成されるように敷設した構築物において、前記目地には水源から水が導かれる導水路が接続されるとともに、目地内には目地材が配置され、その目地材として立体網状体を用いており、前記敷設部材が
敷石パネルであって、その敷石パネルの上面には、目地側の縁部に位置する高い面と、中央部に位置する低い面とが形成されていることを特徴とするものである。
【００１２】
上記構成によれば、水源から導かれた水が、立体網状体よりなる目地材を通り抜けて、構造物の表面に溢れ出る。このため、水は十分に且つ速やかに供給されるので、構造物の温度を適切に冷却することができる。また、目地内には目地材が存在するため、ハイヒールの踵等が目地内に入り込むことを防止できる。
【００１３】
さらに、目地材が存在するために、目地内に小石や落ち葉等が入り込むことを防止できる。
前記の構成において、前記目地材を、合成樹脂よりなる紐状体を絡み合わせて構成することが好ましい。
【００１４】
前記の構成において、前記目地材を、立体網状体よりなる本体と、その本体より高剛性の補強材とにより構成することが好ましい。
前記の構成において、前記補強材は目地の角部に対応する位置に配置されていることが好ましい。
【００１５】
前記の構成において、前記敷設部材が敷石パネルであって、その敷石パネルの上面には、目地側の縁部に位置する高い面と、中央部に位置する低い面とが形成されている。また、この構成において、高い面と低い面とが斜面を介して連続しているとよい。
【００１６】
さらに、前記の構成において、低い面と同じ高さの上面を有する敷石パネルを低い面と連続するように敷設するとよい。
【発明の効果】
【００１７】
本発明によれば、舗道、広場あるいは建築物等の構造物の表面付近を効果的に冷却することができるとともに、保守管理が容易な構築物を提供することができる。
【図面の簡単な説明】
【００１８】
【図１】第１実施形態の舗道の冷却構造を示す一部平面図。
【図２】図１のＡ−Ａ矢視断面図。
【図３】図２のＢ−Ｂ矢視断面図。
【図４】舗道の冷却構造に対する給排水に係る構成を示す概略図。
【図５】第１実施形態の目地の配置を示す一部平面図。
【図６】二種類の目地材を示す斜視図。
【図７】目地材の組み合わせ構成を示す斜視図。
【図８】図７とは異なる目地材の組み合わせ構成を示す斜視図。
【図９】第２実施形態の目地材を示す斜視図。
【図１０】第２実施形態の目地材が用いられる導水路の配置を示す一部平面図。
【図１１】第３実施形態の目地材を示す斜視図。
【図１２】第４実施形態を示す斜視図。
【図１３】第５実施形態を示す一部平面図。
【図１４】図１３のＣ−Ｃ矢視断面図。
【図１５】第６実施形態を示す一部断面図。
【図１６】第７実施形態を示す一部断面図。
【発明を実施するための形態】
【００１９】
（第１の実施形態）
以下、本発明を具体化した第１実施形態を図１〜８を用いて説明する。
図１及び図２に示すように、路床１１上にコンクリート等よりなる路盤１２が形成されている。路盤１２の上面には、複数の溝状の導水路１３が路盤１２の長手方向に所定間隔をおいて平行に延びるように形成されている。敷設面としての路盤１２の上面には、敷設部材としての四角形状の複数の舗装パネル（以下、単にパネルという）１４が固着層１５を介して碁盤目状に敷設されている。パネル１４は、その中心部が導水路１３上に位置する。以上のようにして、構築物としての舗道１０が構成されている。各パネル１４は、自然石あるいは自然石を模した人造石であって、透水性及び保水性を有しないものが用いられている。
【００２０】
そして、図３に示すように、各パネル１４間の目地１６内には、目地材１として後述の立体網状体としての第１、第２目地材１Ａ、１Ｂがその弾力に抗して嵌め込まれている。
図４に示すように、舗道１０の一部には、各導水路１３に対する水の給排水のために暗渠１７が設けられている。舗道１０の近傍には水源としての貯水槽２１が設置されている。貯水槽２１と暗渠１７との間には給水配管２２が連結され、その給水配管２２中には給水量を調整可能にした給水ポンプ２３が接続されている。この給水ポンプ２３の作動により、貯水槽２１内に貯留された水が給水配管２２を介して暗渠１７内に供給される。そして、この暗渠１７内の水が路盤１２とパネル１４との間の各導水路１３内に導かれる。これによって、導水路１３内の水が各パネル１４間の目地１６の目地材１Ａ、１Ｂを通り抜けて、パネル１４の表面側に溢れ出るようになっている。また、暗渠１７と貯水槽２１との間には、暗渠１７から貯水槽２１に水を戻すための第１排水配管２４が連結され、その第１排水配管２４中には流量制御弁２５が接続されている。
【００２１】
そして、給水ポンプ２３の給水量及び流量制御弁２５の開度がそれぞれ適宜調整されることにより、貯水槽２１と暗渠１７との間において水が循環する。また、給水ポンプ２３の給水量及び流量制御弁２５の開度の少なくとも一方が加減されることにより、暗渠１７における水量が調整され、パネル１４の表面に溢れ出る水の量が調整される。
【００２２】
また、雨天時には、流量制御弁２５が適宜に調整されることにより、目地１６から導水路１３内に流入したり、暗渠１７に直接降下したりした雨水が、暗渠１７及び第１排水配管２４を介して貯水槽２１内に収集される。
【００２３】
貯水槽２１には、その内部に貯留された水の量を検出するための水位センサ２７が設けられている。貯水槽２１には水道水（または中水）補給配管２８が接続され、その水道水補給配管２８中には開閉弁２９が設けられている。そして、水位センサ２７により検出された貯水槽２１内の水の量が所定値よりも低下したときには、開閉弁２９が開放されることにより、水道水が水道水補給配管２８を介して貯水槽２１内に補給される。貯水槽２１には開閉弁３１を備えた第３排水配管３２が接続され、開閉弁３１の開放により、貯水槽２１内の貯水が前記公共雨水管渠等に排出される。
【００２４】
貯水槽２１には、濾過装置３０が接続されている。そして、貯水槽２１内の水が濾過装置３０により濾過されて塵や砂等、各種の不純物が除去される。貯水槽２１の上部には、オーバーフロー管３５が接続され、貯水槽２１内の水位が満水近くまで上昇したときに、溢水がこのオーバーフロー管３５から前記公共雨水管渠等に流される。
【００２５】
図６及び図７に示すように、第１、第２目地材１Ａ、１Ｂは、それぞれの係合凹部３、４において、十字状に噛み合うように係合している。この噛み合い部は目地１６の角部と対応する位置に配置される。なお、図８に示すように、舗道１０の外周部の目地１６においては、少なくとも一方の目地材１Ａ、１Ｂとして係合凹部３、４の中央部で切断された目地材１Ａ、１Ｂが用いられる。第１、第２目地材１Ａ、１Ｂは、本体１ａ、１ｃと、補強材１ｂ、１ｄとにより構成されている。本体１ａ、１ｃは、図３に示すように、ポリプロピレン製の紐状体１ｅがランダムに絡み合って、紐状体１ｅ間に空隙部が形成された成形品である。空隙部は毛細管現象が生じる範囲を超えて広く形成されている。紐状体１ｅは、カーボンブラックが混入されることにより耐候性が高められている。前記補強材１ｂ、１ｄは、硬質ゴムのリサイクル材料を適宜大きさに粉砕してバインダーにより結合したものである。この前記補強材１ｂ、１ｄは、本体１ａ、１ｃより高剛性を有するが、充実体によって構成しても、透水性を有するポーラス材によってに形成してもよい。また、第１、第２目地材１Ａ、１Ｂの長さは、施工容易性、運搬及び保管時のハンドリングの良さ等と考慮して決定される。
【００２６】
そして、第１目地材１Ａの本体１ａに形成された凹部５内に１対の補強材１ｂが相互間隔をおいて接着により固定され、補強材１ｂ間に前記係合凹部３が形成されている。また、第２目地材１Ｂは本体１ｃが相互間隔をおいた状態で、本体１ｃの凹部６内に補強材１ｄが配置されて接着により固定され、本体１ｃ間に前記係合凹部４が形成されている。
【００２７】
なお、目地材１は、全部の目地１６内に設けることは必ずしも必要ではない。目地材１が一部の目地１６内に設けられ、他の目地１６内にはモルタルが充填されてもよい。
さて、舗道１０の涼空間は以下のようにして実現される。すなわち、給水ポンプ２３が作動されると、貯水槽２１内の水が給水配管２２を介して暗渠１７内に供給される。それと共に、暗渠１７内の水が第１排水配管２４を介して貯水槽２１に戻される。このとき、水位センサ２７からの検出信号に従って給水ポンプ２３による給水量及び流量制御弁２５の開度が調節されて、貯水槽２１内の水位が設定水位に維持される。このため、暗渠１７内の水が各導水路１３内に導かれるとともに、その導水路１３から各パネル１４間の目地１６の第１、第２目地材１Ａ、１Ｂを通り抜けてパネル１４の表面に溢れ出る。
【００２８】
この場合、第１、第２目地材１Ａ、１Ｂが広い空隙を形成した透水性の高い立体網状体で形成されているので、従来技術と異なり、導水路１３を流れてきた水は、目地材１Ａ、１Ｂを通り抜けてパネル１４の表面に十分に且つ速やかに溢れ出る。そして、その水は、歩行者に支障のない程度で、各パネル１４の上面の全体に薄い水膜を形成する。従って、この水膜の水が蒸発して蒸発潜熱を奪い、またパネル１４の熱が水に吸収されることにより、パネル１４が冷却される。このため、路面及びその周囲の空間の温度上昇が抑制される。
【００２９】
また、雨水を、導水路１３及び暗渠１７を介して貯水槽２１に流入させて、冷却用の水として貯める場合には、雨水は、目地材１Ａ、１Ｂの空隙部を容易に通り抜けることができるので、滞留することなく、貯水槽２１に円滑に導かれる。この場合、雨水の流れは、ゴミや砂、あるいは落ち葉等を伴うことが多いが、比較的大きなゴミや落ち葉は目地材１Ａ、１Ｂの表面に止まり、小さな砂等が、目地材１Ａ、１Ｂの空隙部を通過して貯水槽２１に流れ込む。従って、目地材１Ａ、１Ｂ上のゴミや落ち葉は、容易に取り除くことができる。また、貯水槽２１内の砂等は濾過装置３０により濾過される。従って、貯水槽２１からパネル１４の冷却のために目地材１Ａ、１Ｂ介して供給される水を清浄な状態とすることができる。
【００３０】
目地材１Ａ、１Ｂを清掃したり、新品の目地材１Ａ、１Ｂに交換したりする必要が生じた時には、目地材１Ａ、１Ｂをその弾性反発力に抗して目地１６から引き上げることにより取り出すことができる。目地材１Ａ、１Ｂを目地１６内に嵌め込む場合には、目地材１Ａ、１Ｂを弾性反発力に抗して目地１６内に押し込めばよい。
【００３１】
従って、上記実施形態によれば、以下のような効果を得ることができる。
（１）上記実施形態では、導水路１３から供給された水が、各パネル１４間の目地１６内の目地材１Ａ、１Ｂの空隙を通り抜けて溢れ出ることにより、舗道１０のパネル１４上に供給することができる。このため、パネル１４表面の十分な量の水によりパネル１４が冷却されるので、舗道１０を効果的に冷却することができる。
【００３２】
（２）上記実施形態では、目地材１Ａ、１Ｂは、本体１ａ、１ｃの弾性反発力により目地１６内に保持されているので、通常の使用状態においては、目地１６から外れることはない。また、必要に応じて、前記弾性反発力に抗して目地材１Ａ、１Ｂを目地１６から取り外すことができる。さらに、目地材１Ａ、１Ｂを目地１６内に嵌め込む場合には、目地材１Ａ、１Ｂをその弾性に抗して押し込むのみでよい。このため、目地材１Ａ、１Ｂの交換や洗浄を容易に行うことができる。
【００３３】
（３）上記実施形態では、落ち葉や大きなゴミは目地材１Ａ、１Ｂの表面に止まり、小さな塵や砂が、空隙部を通過して貯水槽２１に流れ込む。このため、落ち葉や大きなゴミは、通常の掃除方法により容易に取り除くことができる。また、貯水槽２１に流れ込んだ塵や砂等は濾過装置３０により濾過される。従って、貯水槽２１からパネル１４や暗渠１７に供給される水を常に清浄な状態とすることができる。
【００３４】
（４）上記実施形態では、目地材１Ａ、１Ｂの交差部分に、高剛性の補強材１ｂ、１ｄを備えるようにした。このため、目地材１Ａ、１Ｂどうしの擦れ合い等が生じても、立体網状体よりなる本体１ａ、１ｃの損傷を抑えることができる。
【００３５】
（５）上記実施形態では、給水ポンプ２３や流量制御弁２５の動作を制御するのみで、舗道１０表面の水量を自在にコントロールできる。従って、天候や歩行者数等に応じて舗道１０及びその空間の冷却度合いを自在に調節できる。また、舗道１０上の水を必要としないときには、導水路１３への水の供給を停止することにより、通常の乾燥状態の舗道１０とすることができる。
【００３６】
（第２の実施形態）
次に、本発明を具体化した第２実施形態を図９及び図１０を用いて説明する。なお、この第２実施形態以降の各実施形態及び変更例においては、第１実施形態と異なる部分を中心に説明する。
【００３７】
図９に示すように、目地材１は、二枚の台形板状体が交差した第１実施形態の補強材１ｂ、１ｄと同じ材質の平面十字状をなす補強材４０を有している。補強材４０の４ヶ所の先端面は上向きに傾斜する斜面４１となっている。立体網状体よりなる本体４２には、補強材４０に対向する端面に下向きに傾斜する斜面４５が形成され、斜面４１、４５が接合または接着した状態で、本体４２及び補強材４０が目地１６内に嵌め込まれている。
【００３８】
図１０に示すように、導水路１３は、互いに交差するように構成されている。この導水路１３により、目地材１に対して水が供給される。
なお、図示しないが、補強材４０として、平面Ｔ字状または平面Ｌ字状のものを用いれば、目地１６が交差するあらゆる部分に配置することができる。
【００３９】
第２実施形態においては、第１の実施形態とほぼ同様な効果を得ることができる。
（第３の実施形態）
次に、本発明を具体化した第３実施形態を図１１を用いて説明する。
【００４０】
本実施形態における第１、第２目地材５０Ａ、５０Ｂは、立体網状体よりなる本体５０ａ、５０ｃ内に前記補強材１ｂ、１ｄと同じ材質の補強材５０ｂがインサートされている。
【００４１】
（第４の実施形態）
次に、本発明を具体化した第４実施形態を図１２を用いて説明する。
本実施形態においては、２個の目地材１の本体１ａの端部が連結具５２に接着されて、この連結具５２により連結されている。この連結具５２は、基部５７の上下両端から反対方向へ屈曲された形状の上下のフランジ部５３、５４を有する。そして、上部のフランジ部５３には工具を引掛ける孔５６が穿設されている。
【００４２】
従って、この第４実施形態においては、以下の効果を得ることができる。
（６）上記実施形態では、隣接する目地材１の本体１ａの端部を連結具５２により連結した。そして、連結具５２のフランジ部５３の孔５６に工具を引掛けることにより、連結具５２で連結した複数の目地材１を数珠繋ぎのようにして取り出すことができる。
【００４３】
（第５の実施形態）
次に、本発明を具体化した第５実施形態を図１３及び図１４を用いて説明する。
図１３に示すように、本実施形態の舗道１０は、４種類のパネル１４、６１、６２、６４により構成されている。パネル６１、６２の上面には、目地１６側の縁部（辺）に位置する高い面６２ｂ、６２ｂと、中央部に位置する低い面６１ａ、６２ａとが形成されている。そして、高い面６２ｂ、６２ｂと低い面６１ａ、６２ａとが斜面６１ｃ、６２ｃを介して連続している。前記パネル６１は隣接する２辺に高い面６１ｂを有し、前記パネル６２は１辺に高い面６２ｂを有している。パネル６１、６２の低い面６１ａ、６２ａと連続するように、低い面６１ａ、６２ａと同じ高さのパネル１４が目地１６を挟んで連続するように敷設されている。さらに、パネル６１、６２の高い面６１ｂ、６２ｂと同じ高さの厚いパネル６４が目地１６を挟んで高い面６１ｂ、６２ｂ側に敷設されている。
【００４４】
そして、厚いパネル６４どうしの間の目地６６には、目地材１ではなくモルタルが充填されている。
導水路１３は、モルタルの目地６６には至らず、目地材１を有する目地１６に開口されている。
【００４５】
そして、目地材１を通してパネル１４、６１、６２表面に水を溢れ出させて水膜Ｗを形成するが、水膜Ｗの水位が高い面６１ｂ、６２ｂを超えた場合、水は導水路１３を介して貯水槽２１に排水される。このため、水膜Ｗの水位は高い面６１ｂ、６２ｂの高さに保たれる。
【００４６】
従って、パネル１４、６１、６２表面の水膜Ｗの水位を一定に保つための導水路１３への水の供給量を調整する制御を省くことができる。
なお、本実施形態においては、立体網状体よりなる目地材１は、目地１６の一部、例えばパネル６１、６２の外側の目地１６のみに設けて、他の目地１６にはモルタルを充填してもよい。ただし、排水の観点から、少なくとも薄いパネル１４間の目地１６に目地材１を設けることが望ましい。
【００４７】
そして、この第５実施形態においては、第１〜４の実施形態における効果に加えて、以下の効果を得ることができる。
（７）上記実施形態では、水膜Ｗの水位を一定に保つことができる。このため、効果的な冷却が可能になる。
【００４８】
（第６の実施形態）
次に、本発明を具体化した第６実施形態を図１５を用いて説明する。
本実施形態においては、目地１６の上部に形成された凹部７２に金属製の網状あるいは簀子状のカバー７１が着脱可能に載置され、そのカバー７１により目地材１の上部が覆われている。
【００４９】
そして、この第６実施形態においては以下の効果を得ることができる。
（８）上記実施形態では、目地１６を覆う金属製のカバー７１が設けられている。このため、目地材１がハイヒールによる集中荷重を受けて損傷することを防止できるとともに、目地材１の一部がカバー７１によって覆われるため、紫外線による劣化を抑えることができる。
【００５０】
（第７の実施形態）
次に、本発明を具体化した第７実施形態を図１６を用いて説明する。
本実施形態は、建築物の外壁において具体化したものである。
【００５１】
建築物の外壁７３には、敷設部材として、複数の外壁パネル（以下、パネルという）１１４が目地１６が形成されるように敷設されている。目地１６内には前記各実施形態と同様な目地材１が嵌め込まれている。目地１６には導水路１３が連結されている。
【００５２】
この冷却構造においては、目地材１を介して溢れ出た水は、パネル１１４の表面を伝い落ちる。なお、パネル１１４の表面に酸化チタン等の光触媒を設けることにより、水を流し続けても、表面の汚れを防止できる。
【００５３】
そして、この第７実施形態においては、以下の効果を得ることができる。
（９）上記実施形態では、建築物の外壁７３に配設されたパネル１１４間の目地１６の目地材１から水を出すようにした。このため、パネル１１４の表面を伝い落ちる水により、パネル１１４の温度が下げられるので、建築物の外側にいる人は、涼感を感じられると共に、建築物の冷房効果を高めることができる。
【００５４】
（変更例）
なお、上記実施形態は、次のように変更して具体化することも可能である。
・  図４に示す構成において暗渠１７をなくし、給水配管２２、２４等を導水路１３に直接接続すること。
・  舗道１０に隣接する水路を設け、その水路と目地とを接続するとともに、その水路に給排水の配管２２、２４を接続して、水路を介して目地に対する給水、目地からの排水を行なうように構成すること。
・  前記実施形態の構成を適宜に組み合わせること。
・  ポリプロピレン製の紐状体１ｅで目地材１を形成したが、目地材１をポリエチレン樹脂製、硬質塩化ビニール樹脂製またはＡＢＳ樹脂製等の合成樹脂の紐状体１ｅで形成して、それぞれの樹脂にカーボンブラックを混入させたり、塗装やメッキ等により表面処理をしたりして耐候性を高めること。
・  目地材として、金属線を絡ませた立体網状体を用いること。この場合、金属線は耐食加工を施したものや、ステンレス等を用いことが好ましい。
・  目地材として、合成樹脂ストリングあるいは金属線を全体として中空管状をなすように規則的に編成したものを用いること。
・  目地材１の長さを種々変更すること。例えば、パネルの一辺の長さの目地材と、その目地材（目地）の幅を一辺の長さとした平面正方形状の目地材を用いること。この場合、長い目地材はパネルの辺と対応する位置に配置され、平面正方形の目地材は目地の交差部に配置される。
・  目地材１Ａ、１Ｂの補強材１ｂ、１ｄをなくし、本体１ａ、１ｃのみとすること。
・  紐状体１ｅで形成された立体網状体に替えて、セル（発泡）を区画するセル膜の一部または大半が除去された合成樹脂製またはセラミック製の三次元網状骨格構造体を用いる。
【符号の説明】
【００５５】
１，１Ａ，１Ｂ…目地材、１ａ，１ｃ，４２，５０ａ…本体、１ｂ，１ｄ，４０，５０ｂ…補強材、１ｅ…紐状体、１３…導水路、１６，６６…目地、４１，４５，６１ｃ…斜面、６１ａ，６１ｂ，６２ｂ…面。
【図１】
0005521713.tif 000002
【図２】
0005521713.tif 000003
【図３】
0005521713.tif 000004
【図４】
0005521713.tif 000005
【図５】
0005521713.tif 000006
【図６】
0005521713.tif 000007
【図７】
0005521713.tif 000008
【図８】
0005521713.tif 000009
【図９】
0005521713.tif 000010
【図１０】
0005521713.tif 000011
【図１１】
0005521713.tif 000012
【図１２】
0005521713.tif 000013
【図１３】
0005521713.tif 000014
【図１４】
0005521713.tif 000015
【図１５】
0005521713.tif 000016
【図１６】
0005521713.tif 000017